(57)【特許請求の範囲】
【請求項１】
透明または半透明のテープ基材よりなるテープカッター用の粘着テープであって、
前記テープカッターに装着する平面状のテープセット面を有するベース板と、上部に前記粘着テープを切断するテープ切断刃と、この切断刃を保持し前記粘着テープの切断位置から前記粘着テープの切断個所を前記テープセット面のテープの粘着面に接着させる接着位置に向かい移動可能な保持板と、よりなる先端を折り返したループ状のつまみを形成するループ状つまみ作成具を備え、
前記テープ基材の一面に粘着剤を施し、他面に長手方向に繰り返す模様を表示し、
前記模様は前記テープ切断刃の移動する前記切断位置から前記接着位置までの間に複数配置されるようにし、
前記粘着テープの先端を折り返して形成されたループ状の前記つまみには、前記模様が重なることにより前記模様とは異なる模様で表示されることを特徴とするループ状つまみ作成具付テープカッター用の粘着テープ。
【請求項２】
前記粘着テープの幅方向に対して所定の角度を有した帯状の線または図形よりなる模様を配列した縞柄として表示し、
前記模様は前記テープ切断刃の移動する前記切断位置から前記接着位置までの間に複数配置されるようにし、
前記粘着テープの先端を折り返して形成されたループ状の前記つまみには、前記模様が重なることにより前記模様とは異なるクロスの模様で表示されることを特徴とする請求項１に記載のループ状つまみ作成具付テープカッター用の粘着テープ。
【請求項３】
前記粘着テープの長手方向において非対称となる図形または文字よりなる模様を長手方向に間隔をもって複数配列した図柄として表示し、
前記模様は前記テープ切断刃の移動する前記切断位置から前記接着位置までの間に複数配置されるようにし、
前記粘着テープの先端を折り返して形成されたループ状の前記つまみには、前記模様が重なることにより前記模様とは異なる模様で表示されることを特徴とする請求項１に記載のループ状つまみ作成具付テープカッター用の粘着テープ。
【請求項４】
偏光フイルム製のテープ基材よりなるテープカッター用の粘着テープであって、
前記テープカッターに装着する平面状のテープセット面を有するベース板と、上部に前記粘着テープを切断するテープ切断部と、を有し、この切断刃を回動可能に保持し前記粘着テープの切断位置から前記粘着テープの切断個所を前記テープセット面の前記粘着テープの粘着面に接着させる接着位置に向かい移動可能な保持板と、前記テープ切断刃を常に前記切断位置に付勢する付勢手段と、よりなる先端を折り返したループ状のつまみを形成するループ状つまみ作成具を備え、
前記テープ基材の偏光面に対して反対面に粘着剤を施し、前記粘着テープの先端を折り返して形成されたループ状の前記つまみの表側と裏側を偏光方向の異なる前記偏光面にしたことを特徴とするループ状つまみ作成具付テープカッター用の粘着テープ。
【発明の詳細な説明】
【技術分野】
【０００１】
この発明は、先端を折り返しループ状のつまみを形成するつまみ作成具を設けたテープカッターに装着する粘着テープに関する。
【背景技術】
【０００２】
一面に粘着剤が施された粘着テープは、家庭用、事務用、商業用、工業用等の各種用途に広く汎用されている。しかし、使用目的によっては一旦貼着された粘着テープを用済み後に引剥がしたいことがしばしば発生する。例えば、商店・百貨店・スーパー等での買物の商品包装の封、書類・図面等の一時的位置決め、ポスター・表等の掲示等である。
【０００３】
このような場合、粘着テープの端部に粘着剤が露出していないつまみを設けこれを引っ張ることにより、引剥しが容易に可能となるので、従来からこのつまみを形成するために各種の技術があった。
【先行技術文献】
【特許文献】
【０００４】
【特許文献１】特開２００２−１４５５１１号公報
【特許文献２】特開２００６−２４８７７６号公報
【発明の概要】
【発明が解決しようとする課題】
【０００５】
ところで、従来のテープカッターに設けたつまみ作成具によるつまみの形成は、一面に粘着剤が塗布された粘着テープをテープ切断刃で所定長さに切断し、この切断部をテープ切断刃に接着させてループ状のつまみを作成するようにすると構造が簡単になるが、粘着テープが透明または半透明のため粘着テープの先端にループ状のつまみが形成されているか否かわかり難く、このため迅速にループ状のつまみを作成することが困難であった。
【０００６】
この発明は、かかる実情に鑑みてなされたもので、粘着テープの先端が折り返されたループ状のつまみの視認性を向上させ、迅速かつ確実に粘着テープの先端につまみが形成されていることが確認でき、しかも封筒、ビニール袋等の開封口に貼着された粘着テープを容易に視認することができる粘着テープを提供することを目的としている。
【課題を解決するための手段】
【０００７】
前記課題を解決し、かつ目的を達成するために、この発明は、以下のように構成した。
【０００８】
請求項１に記載の発明は、透明または半透明のテープ基材よりなるテープカッター用の粘着テープであって、
前記テープカッターに装着する平面状のテープセット面を有するベース板と、上部に前記粘着テープを切断するテープ切断刃と、この切断刃を保持し前記粘着テープの切断位置から前記粘着テープの切断個所を前記テープセット面のテープの粘着面に接着させる接着位置に向かい移動可能な保持板と、よりなる先端を折り返したループ状のつまみを形成するループ状つまみ作成具を備え、
前記テープ基材の一面に粘着剤を施し、他面に長手方向に繰り返す模様を表示し、
前記模様は前記テープ切断刃の移動する前記切断位置から前記接着位置までの間に複数配置されるようにし、
前記粘着テープの先端を折り返して形成されたループ状の前記つまみには、前記模様が重なることにより前記模様とは異なる模様で表示されることを特徴とするループ状つまみ作成具付テープカッター用の粘着テープである。
【０００９】
請求項２に記載の発明は、前記粘着テープの幅方向に対して所定の角度を有した帯状の線または図形よりなる模様を配列した縞柄として表示し、
前記模様は前記テープ切断刃の移動する前記切断位置から前記接着位置までの間に複数配置されるようにし、
前記粘着テープの先端を折り返して形成されたループ状の前記つまみには、前記模様が重なることにより前記模様とは異なるクロスの模様で表示されることを特徴とする請求項１に記載のループ状つまみ作成具付テープカッター用の粘着テープである。
【００１０】
請求項３に記載の発明は、前記粘着テープの長手方向において非対称となる図形または文字よりなる模様を長手方向に間隔をもって複数配列した図柄として表示し、
前記模様は前記テープ切断刃の移動する前記切断位置から前記接着位置までの間に複数配置されるようにし、
前記粘着テープの先端を折り返して形成されたループ状の前記つまみには、前記模様が重なることにより前記模様とは異なる模様で表示されることを特徴とする請求項１に記載のループ状つまみ作成具付テープカッター用の粘着テープである。
【００１１】
請求項４に記載の発明は、偏光フイルム製のテープ基材よりなるテープカッター用の粘着テープであって、
前記テープカッターに装着する平面状のテープセット面を有するベース板と、上部に前記粘着テープを切断するテープ切断部と、を有し、この切断刃を回動可能に保持し前記粘着テープの切断位置から前記粘着テープの切断個所を前記テープセット面の前記粘着テープの粘着面に接着させる接着位置に向かい移動可能な保持板と、前記テープ切断刃を常に前記切断位置に付勢する付勢手段と、よりなる先端を折り返したループ状のつまみを形成するループ状つまみ作成具を備え、
前記テープ基材の偏光面に対して反対面に粘着剤を施し、前記粘着テープの先端を折り返して形成されたループ状の前記つまみの表側と裏側を偏光方向の異なる前記偏光面にしたことを特徴とするループ状つまみ作成具付テープカッター用の粘着テープである。
【発明の効果】
【００１２】
前記構成により、この発明は、以下のような効果を有する。
【００１３】
請求項１に記載の発明では、先端を折り返しループ状のつまみを形成するつまみ作成具を設けたテープカッターに装着する透明または半透明のテープ基材よりなる粘着テープであって、前記テープ基材の一面に粘着剤を施し、他面に長手方向に繰り返す模様を表示してなることで、粘着テープの先端が折り返されたループ状のつまみの視認性が向上し、迅速かつ確実に粘着テープをテープカッターにより切断でき、しかも封筒、ビニール袋、商品包装等の封に貼着された粘着テープを容易に視認することができる。
【００１４】
請求項２に記載の発明では、前記模様は前記テープ基材の幅方向に対して所定の角度を有した帯状の線または図形を配列した縞柄となっているので、前記模様を前記粘着テープの前記テープ基材に簡単に表示することができ、しかもループ状のつまみの図形がクロスになり視認性がより向上する。
【００１５】
請求項３に記載の発明では、前記模様は長手方向において非対称の図形または文字を長手方向に間隔をもって複数配列した図柄になっているので、前記模様を前記粘着テープの前記テープ基材に簡単に表示することができ、しかもループ状のつまみが折り返しにより形成された図形は同じ形状で重なることがなく、図形の視認性がより向上する。
【００１６】
請求項４に記載の発明では、先端を折り返したつまみを形成するつまみ作成具を設けたテープカッターに装着する偏光フイルム製のテープ基材よりなる粘着テープであって、前記テープ基材の偏光面に対して反対面に粘着剤を施し、前記つまみ作成具により折り返してループ状のつまみを形成した際、遮光方向がクロスするため、つまみが透けている状態から暗転して不透明な状態になり、つまみの視認性が容易になる。
【図面の簡単な説明】
【００１７】
【図１】第１の実施の形態の粘着テープの斜視図である。
【図２】第１の実施の形態を示す粘着テープの平面図である。
【図３】図２のＡ−Ａ線の断面図である。
【図４】第２の実施の形態を示す粘着テープの平面図である。
【図５】第３の実施の形態を示す粘着テープの拡大断面図である。
【図６】つまみ作成具を設けたテープカッターの斜視図である。
【図７】粘着テープをループ状にする状態を説明する図である。
【図８】粘着テープの使用状態を示す斜視図である。
【発明を実施するための形態】
【００１８】
以下、この発明の粘着テープの実施の形態について説明する。この発明の実施の形態は、発明の最も好ましい形態を示すものであり、この発明はこれに限定されない。
【００１９】
［粘着テープ］
この実施の形態の粘着テープを、図１乃至図５に基づいて説明する。図１乃至図３は第１の実施の形態の粘着テープを示す図、図４、５は粘着テープの他の実施の形態を示す図である。
【００２０】
この実施の形態の粘着テープＴは、透明または半透明のプラスチックフイルム製のテープ基材１よりなり、このテープ基材１の一面に粘着剤２を施し、他面に前記テープ基材１の長手方向に繰り返す模様３を印刷等により表示する。
前記粘着剤２はアクリル系、シリコン系、ビニール系合成ゴム等を適宜選択し、これを塗布することにより施している。
【００２１】
前記テープ基材１の幅は１０ｍｍ〜６０ｍｍ程度で適当な長さを有し、この前記テープ基材１を直径約３０ｍｍ〜約８０ｍｍの厚紙等によりなる円筒状の巻胴８に前記粘着剤２を内側にしてロール状に巻回してある。
【００２２】
前記テープ基材１の他面に表示される前記模様３は、前記テープ基材１の幅方向に対して所定の角度を有した帯状の線３aを前記テープ基材１の長手方向において略等間隔に繰り返し配列した縞柄となっている。幅方向に対する角度は、３０°〜６０°が好ましいが特に限定されない。
また、符号３ｂのような図形を前記テープ基材１の幅方向に対して所定の角度を有した帯状に配置した図柄としてもよい。
【００２３】
図３に示す前記粘着テープＴの第２の実施の形態では、模様４が長手方向において非対称の図形４aを長手方向に間隔をもって複数配列した図柄になっている。前記図形４aとしては三角型、星型、ハート型等や、符号４bのような文字を長手方向に間隔をもって複数配列した図柄としてもよい。
【００２４】
図４に示す第３の実施の態様は、粘着テープＴのテープ基材５が偏光フィルム製よりなり、このテープ基材５の偏光面６に対して反対面に粘着剤７を施している。前記偏光面６の偏光方向の角度は４５°が最適であるが、特に限定されない。
【００２５】
［テープのつまみ作成具を設けたテープカッター］
この実施の形態の粘着テープのつまみ作成具を備えたテープカッターを、図６乃至図７に基づいて説明する。図６はテープのつまみ作成具を備えたテープカッターの斜視図、図７はテープをループ状にする状態を説明する図である。
【００２６】
この粘着テープＴのつまみ作成具１０は、粘着テープＴにループ状のつまみを作成する場合には、テープカッター９０に装着して使用される。テープカッター９０はテープ切断部９１を有し、テープのつまみ作成具１０はテープカッター９０の収納部から粘着テープＴを引き出し、粘着テープＴにループ状のつまみＴcを作成する。
【００２７】
この粘着テープＴのつまみ作成具１０は、平面状のテープセット面１１ａを有しテープカッターに装着されるベース板１１と、テープセット面１１ａの後端縁に対して上方位置に移動可能な鋸刃状のテープ切断刃１２と、テープ切断刃１２を回動可能に保持し接着位置と切断位置に移動可能に配置される保持板１３と、保持板１３を切断位置に保持する規制板１４と、テープ切断刃１２を常に切断位置に付勢する付勢手段１５とを備える。
【００２８】
ベース板１１は、例えば樹脂、金属などで成形され、テープカッター９０のテープ切断部９１の後壁の表面に両面接着テープ９４などによって固定する。ベース板１１の下部には、左右一対の受け部２０が設けられ、この左右一対の受け部２０に支持ピン２１を支点に保持板１３の下部が回転可能に支持されている。この保持板１３は、例えば樹脂、金属などで成形される。
【００２９】
前記テープ切断刃１２の第１の折り曲げ段部１２ｄの両側部に支持軸１２ｇ，１２ｈが一体に形成され、この支持軸１２ｇ，１２ｈは保持板１３の上部に回転可能に設けられている。この両側部の支持軸１２ｇ，１２ｈは、テープ切断刃１２と別体に形成し、テープ切断刃１２に固定してもよい。第２の折り曲げ段部１２ｅは、保持板１３の上端部の角部に沿って設けられ、先端部１２aの鋸刃状の複数刃１２ｂ，１２ｃが保持板１３の上端から立ち上がるようになっている。
【００３０】
付勢手段１５は、コイルスプリング４０で構成される。このコイルスプリング４０は、支持軸１２ｇの基部に装着され、コイルスプリング４０の一端部４０ａは保持板１３に係止され、他端部４０ｂはテープ切断刃１２に係止される。このコイルスプリング４０の付勢力により、テープ切断刃１２の先端部１２ａと反対側の基部１２ｆは、ベース板１１もしくはベース板１１に設けたストッパー２２の表面にスライド可能に当接する。
【００３１】
このテープ切断刃１２の基部１２ｆは、ストッパー２２によって上方への移動が規制され、これによりテープ切断刃１２はコイルスプリング４０により常に切断位置の方向へ付勢され、テープ切断刃１２が設けられた保持板１３は規制板１４に当接し、この規制板１４によって保持板１３が切断位置に保持される。
【００３２】
粘着テープＴにループ状のつまみＴｃを作成する場合には、保持板１３をベース板１１の方向へ移動させると、テープ切断刃１２の基部１２ｆがベース板１１の表面もしくはストッパー２２の表面を下方にスライドして移動し、テープ切断刃１２の中央部がストッパー２２に当り、さらに保持板１３を移動させるとテープ切断刃１２の中央部がストッパー２２により押され、テープ切断刃１２は先端部１２ａの複数刃１２ｂ，１２ｃが、ベース板１１のテープセット面１１ａに近づくように回転する。
【００３３】
ベース板１１の両側部には、切断位置と接着位置間を移動するテープ切断刃１２の両側部を覆うガイド板５０が設けられている。このガイド板５０は、ベース板１１と一体に設けてもよく、また別体に成形してベース板１１に接着などによって取り付けてもよい。
【００３４】
このように、ベース板１１の両側部に設けたガイド板５０により切断位置と接着位置間を移動するテープ切断刃１２の両側部を覆うことで、テープ切断刃１２に触れることに注意を払うことなくつまみＴｃを作成することができる。また、保持板１３やテープ切断刃１２をガイド板５０によって保護し、保持板１３やテープ切断刃１２が障害物と干渉することを防止することができる。
【００３５】
このテープのつまみ作成具１０を用いて粘着テープＴにループ状のつまみＴｃを作成する場合には、図７に示すように、テープカッター９０の収納部から粘着テープＴを引き出し、粘着テープＴを切断位置に位置するテープ切断刃１２によって切断する（図７（ａ））。
【００３６】
この切断は、テープ切断刃１２の先端部１２ａと反対側の基部１２ｆをベース板１１もしくはストッパー２２の表面にスライド可能に当接し、保持板１３は切断位置にしてテープ切断刃１２の先端部１２ａを立てた状態であり、テープカッター９０から引き出した粘着テープＴの粘着面Ｔｂをベース板１１のテープセット面１１ａに接着させるとともに、テープ切断刃１２の先端部１２ａの複数刃１２ｂ，１２cで切断する。
【００３７】
そして、保持板１３を指によって押すなどによってベース板１１に近接させると、この保持板１３を接着位置に移動させるに従いテープ切断刃１２が付勢手段１５の付勢力に抗してテープ切断刃１２の基部１２ｆがベース板１１もしくはストッパー２２の表面を下方にスライドし、テープ切断刃１２の先端部１２ａを立てた状態から支持軸１２ｇ、１２ｈを支点にして回転し、テープ切断刃１２の先端部１２ａをテープセット面１１ａの後端縁に対して上方に位置する（図７（ｂ））。
【００３８】
このように保持板１３をベース板１１の方向へ移動させ、テープ切断刃１２の基部１２ｆがベース板１１もしくはストッパー２２の表面を下方にスライドして移動し、テープ切断刃１２の中央部がストッパー２２に当り、さらに保持板１３を移動させるとテープ切断刃１２の中央部がストッパー２２により押される。これにより、テープ切断刃１２は、複数刃１２ｂ，１２ｃがベース板１１のテープセット面１１ａに近づくように回転する。
【００３９】
このとき、粘着テープＴがループ状になり、テープ切断刃１２の先端部１２a
の複数刃１２b,１２ｃに付着している粘着テープＴの粘着面Ｔｂがテープセット面１１ａに付着している部分の上方位置からテープＴの粘着面Ｔｂに接着し、さらにテープ切断刃１２の回転により先端部１２aの複数刃１２ｂ，１２cに接着している粘着テープＴの粘着面Ｔｂも接着し、ループ状のつまみＴｃを作成する（図７（ｃ））。
【００４０】
この状態で、指などによって保持板１３を接着位置に位置させている力を解除すると、付勢手段１５の付勢力によりテープ切断刃１２が逆方向に支持軸１２ｇ、１２ｈを支点にして回転し、テープ切断刃１２の基部１２ｆがベース板１１もしくはストッパー２２の表面を逆方向へスライドして保持板１３を接着位置から切断位置へ移動する。これにより、テープ切断刃１２の先端部１２ａの複数刃１２ｂ，１２cが粘着テープＴの切断部Ｔａから剥離し、テープ切断刃１２の先端部１２ａを立てた状態の切断位置へ復帰する（図７（ｄ））。
【００４１】
このテープ切断刃１２が回転して切断位置に復帰した状態では、粘着テープＴの粘着面Ｔｂがテープセット面１１ａに接着しており、テープ切断刃１２が切断部Ｔａの粘着面Ｔｂから離間し、粘着テープＴがループ状になりつまみＴｃが形成される。
【００４２】
このとき、付勢手段１５の付勢力によりテープ切断刃１２を接着位置から離間させる方向に付勢しており、テープ切断刃１２の先端部１２ａが粘着テープＴの切断部Ｔａから離間して切断位置に復帰し、保持板１３が規制板１４により切断位置に保持されていることで（図７（ｄ））、ループ状のつまみＴｃを摘み粘着テープＴをテープカッター９０から引き出してテープ切断刃１２により切断することができる。
【００４３】
このように、簡単な操作で、テープ切断刃１２の先端部１２ａをテープセット面１１ａの後端縁に対して上方に位置させ、粘着テープＴの切断部Ｔｂを、テープセット面１１ａの後方位置の粘着テープＴに接着させ、迅速かつ確実にループ状のつまみＴｃを作成することができる。
【００４４】
前記粘着テープのつまみ作成具１０は、保持板１３を指によって押すなどによってベース板１１に近接させるが、テープＴの切断部Ｔａとテープ切断刃１２の先端部１２ａと共に保持板１３を指によって押すなどによってベース板１１に近接させることが好ましく、メンディングテープのような硬くて張りのある粘着テープでも安定してループ状のつまみを作成することができる。また、保持板１３の先端部の支持軸１２ｇ、１２ｈを支点にテープ切断刃１２が回転可能に設けられており、テープＴの先端部とテープ切断刃１２とが保持板１３と共に押される際に回転してテープ切断刃１２の刃が押した指よりも先に離れて逃げ、指に尖った刃が当たる感触が緩和される。
【００４５】
このテープのつまみ作成具１０は、既存のテープカッターにも容易に装着可能であり、既存のテープカッターの収納部からテープを引き出し、テープのつまみ作成具によって簡単な構造で、迅速かつ確実にループ状のつまみを作成することができる。
【００４６】
しかも、図８のような封筒Ｆまたはビニール袋、商品包装等の封に貼着された前記粘着テープＴを容易に視認でき、一旦貼着された前記粘着テープＴを用済み後、前記つまみＴｃにより簡単に引剥がすことができる。
【００４７】
第１の実施の形態における前記粘着テープＴの前記模様３になる前記線４または図形４aを、前記テープせん断刃１２の移動する切断位置と接着位置間に、幅方向に対する角度を４５°にして二つ配置して表示すると、折り返して形成されたループ状の前記つまみＴcの前記模様３が９０°のクロスになり視認性がより向上する。
【００４８】
また、第２の実施の形態における前記模様５が長手方向において非対称の前記図形６または文字６aよりなり、この図形６または文字６aが前記テープせん断刃１２の移動する切断位置と接着位置間に二つ配置して表示されると、前記つまみＴcの折り返しにより透視される表側の図形または文字が裏側の図形または文字に重なっても、互いに異なる形状なので、前記つまみＴcがループ状に折り返されていることが分かり易く視認性がより向上する。
【００４９】
さらに、第３の実施の形態において、粘着テープＴの偏光フィルム製よりなる前記テープ基材１の前記偏光面７の偏光方向の角度は４５°にすると、前記つまみ作成具１０によりループ状のつまみＴｃを形成した際、折り返されたつまみＴｃの表側と裏側の前記偏光面７の偏光方向の角度が９０°でクロスするため、つまみＴｃが透けている状態から暗転して不透明な状態になり、つまみＴｃの視認性が容易になる。
【産業上の利用可能性】
【００５０】
この発明は、テープカッターに設けたつまみ作成具により粘着テープの先端が折り返されたループ状のつまみの視認性が向上し、迅速かつ確実に切断でき、しかも貼着の場所を容易に確認することができる。
【符号の説明】
【００５１】
１  テープ基材
２  粘着剤
３  模様
３a  線形
３b  図形
４  模様
４a  非対称の図形
４b  非対称の文字
５  偏光フィルム製のテープ基材
６  偏光面
７  粘着剤
８  巻胴
１０  テープのつまみ作成具
１１  ベース板
１１ａ  テープセット面
１２  テープ切断刃
１２ａ  テープ切断刃の先端部
１２b，１２c  鋸刃状の複数刃
１２ｄ  第１の折り曲げ段部
１２ｅ  第２の折り曲げ段部
１２ｆ  基部
１２ｇ，１２ｈ  支持軸
１３  保持板
１４  規制板
１５  付勢手段
２０  受け部
２１  支持ピン
２２  ストッパー
４０  コイルスプリング
９０  テープカッター
９１  テープ切断部
Ｔ  粘着テープ
Ｔａ  テープＴの切断部
Ｔｂ  テープＴの粘着面
Ｔｃ  テープＴのつまみ
Ｆ  封筒
【要約】      （修正有）【課題】テープカッターに設けたつまみ作成具により粘着テープの先端が折り返されたループ状のつまみを簡単な構造で、迅速かつ確実にループ状のつまみを視認でき、テープカッターから粘着テープを切断することが容易にできる粘着テープを提供する。【解決手段】先端を折り返したループ状のつまみを形成するつまみ作成具を設けたテープカッターに装着する透明または半透明のテープ基材１よりなる粘着テープＴであって、前記テープ基材１の一面に粘着剤を施し、他面に長手方向に繰り返す模様３を表示してなることを特徴とする粘着テープ。【選択図】図１【図１】
0005137094.tif 000002
【図２】
0005137094.tif 000003
【図３】
0005137094.tif 000004
【図４】
0005137094.tif 000005
【図５】
0005137094.tif 000006
【図６】
0005137094.tif 000007
【図７】
0005137094.tif 000008
【図８】
0005137094.tif 000009